(57)【要約】【課題】人間工学に適合し、且つ産業上の加工製造及び組み立てに好適なテーブルを提供する。【解決手段】本考案のテーブルはテーブルフレーム１と、天板２と、フロントバッフル３とを備える。金属棒が湾曲されることによりフレームとして製造されるテーブルフレーム１の上方にはバックル２０及び挿嵌方式により天板２が装設され、テーブルフレーム１の前上段にはバックル３０及び挿嵌方式でフロントバッフル３が装設される。前記天板２の少なくとも一側辺の下縁には押し引きタイプのフック４が設置され、天板２の前縁は弧形を呈すると共に前下方に向けて丸角部２２が湾曲されると共にフロントバッフル３の上縁に嵌装される。フロントバッフル３はバックル３０及び挿嵌方式によりテーブルフレーム１の両側の前脚１３の間に装設され、フロントバッフル３の下縁はテーブルフレーム１の両側の前脚１３の間の横支持板１５に嵌装される。【選択図】図２
0003218412.tif 000002
【実用新案登録請求の範囲】
【請求項１】
テーブルフレームと、天板と、フロントバッフルとを備え、
金属棒が湾曲されることによりフレームとして製造される前記テーブルフレームの上方にはバックル及び挿嵌方式により前記天板が装設され、前記テーブルフレームの前上段にはバックル及び挿嵌方式で前記フロントバッフルが装設されるテーブルであって、
前記天板の少なくとも一側辺の下縁には押し引きタイプのフックが設置され、前記天板の前縁は弧形を呈すると共に、前下方に向けて丸角部が湾曲されると共に前記フロントバッフルの上縁に嵌装され、
前記フロントバッフルはバックル及び挿嵌方式により前記テーブルフレームの両側の前脚の間に装設され、前記フロントバッフルの下縁は前記テーブルフレームの両側の前記前脚の間の横支持板に嵌装されることを特徴とするテーブル。
【請求項２】
前記テーブルフレームの上方の両側のロッドの内側には、内に向けて前記天板の両側辺の嵌め込み溝に挿嵌される嵌め込み板がそれぞれ突設され、
前記テーブルフレームの上方の両側の前記ロッドの前方は、丸角部が前下方に向け湾曲されると共に斜めロッドが延伸された後、垂直に下に向けて前記テーブルフレームの両側の前記前脚が構成され、
両側の前記前脚の上方の前記斜めロッドの内側には、内に向けて突出されて前記フロントバッフルの両側の嵌め込み溝中に挿嵌される嵌め込み板がそれぞれ設置され、
両側の前記前脚の上方の前記斜めロッドの間には、前記フロントバッフルの下縁の嵌め込み溝に挿嵌される前記横支持板が設置されることを特徴とする請求項１に記載のテーブル。
【請求項３】
前記テーブルフレームの両側の前記前脚の間隔は前記テーブルフレームの両側の後脚の間隔より小さいことを特徴とする請求項１に記載のテーブル。
【請求項４】
前記天板の両側には、開口部が外に向くバックル及び前記バックル内の嵌め込み溝がそれぞれ設置され、前記バックル及び挿嵌方式により前記天板が前記テーブルフレームに固設され、
前記天板の前方は前記丸角部が前下方に向けて湾曲され、且つ前記天板の前下縁には前記フロントバッフルを嵌装させるための内に凹む嵌め込み溝が設置されることを特徴とする請求項１に記載のテーブル。
【請求項５】
前記フロントバッフルの両側には、開口部が外に向くバックル及び前記バックル内の嵌め込み溝がそれぞれ設置され、前記バックル及び挿嵌方式により前記フロントバッフルは前記テーブルフレームの前方の両側の前記前脚の上方の斜めロッドに固設され、
前記フロントバッフルの上縁には、前記天板の前下縁の内の嵌め込み溝に嵌め込み板が挿嵌されるように上向きに突起され、前記フロントバッフルの下縁には両側の前記前脚の間の前記横支持板に嵌装されるように嵌め込み溝が設けられることを特徴とする請求項１に記載のテーブル。
【考案の詳細な説明】
【技術分野】
【０００１】
本考案は、人間工学に適合し、産業上の加工製造及び組み立てに好適なテーブルに関する。
【背景技術】
【０００２】
一般的な学習で使用されるテーブルはどれも、木製のテーブルフレームまたは金属管のテーブルフレームに、天板及び天板下方の物置板が固定されることで構成されている。
【考案の概要】
【考案が解決しようとする課題】
【０００３】
しかしながら、これらの前記テーブルは、自由に色彩を変化させて組み立て可能にするといった柔軟性がなく、積み重ね可能さ及びメンテナンスや更新が効果的に行えるような構成部材の簡易さにも欠ける。
学習環境にあるべき色彩の鮮やかさがなく、学習環境に与える色彩の刺激効果もなく、また製造上も部材の装設に関して変化や経済効果に乏しかった。
【０００４】
そこで、本考案者は上記の欠点が改善可能と考え、鋭意検討を重ねた結果、合理的設計で上記の課題を効果的に改善する本考案の提案に到った。
すなわち、本考案では、人間工学に適合し、構造が簡易で素早く装設可能であり、且つメンテナンス及び更新が便利であり、色彩を多様に変化させて装設可能な学習用テーブルを創作する。
【０００５】
本考案のテーブルは、このような従来の問題に鑑みてなされたものである。その目的は、以下のとおりである。
（１）バックル及び挿嵌方式で装設されるテーブルを提供する。構造が簡易で装設を素早く行え、低コストで産業上の利用性及び経済効果を備える。
（２）人間工学に適合するテーブルを提供する。テーブルの前縁が下に向けて湾曲して一般的な背もたれの弧度に平行する設計とし、前方に置かれた椅子の背もたれに接触しないようにし、前方に置かれた椅子が動かされてもテーブルの使用に影響が及ばず、安定的に使用可能にする。
（３）テーブル面の少なくとも片側には引き出されて使用され、押し入れられると隠れるタイプのフックを提供し、従来の引き出しを代替させることで、テーブル面の下方により広い活動空間を有する。
（４）テーブル面及びフロントバッフルを容易に装設可能なテーブルを提供する。同じ色または異なる色のテーブル面及びフロントバッフルを組み合わせて装設可能にすることで環境に合わせて色彩を変えられ、学習環境を彩り、時間と場所に合わせて色彩を変化させる効果を高める。
（５）ＤＩＹに好適な、バックル及び挿嵌方式で装設するテーブルを提供する。メンテナンス及び更新がより便利になる。
（６）構造が堅牢で部材が簡易であり、安定して使用でき、重合して便利に収納可能なテーブルを提供する。
【課題を解決するための手段】
【０００６】
上述した課題を解決し、目的を達成するために考案された、本考案に係るテーブルの特徴は、テーブルフレームと、天板と、フロントバッフルとを備えることである。
金属棒が湾曲されることにより、フレームとして製造されるテーブルフレームの上方にはバックル及び挿嵌方式により天板が装設され、テーブルフレームの前上段にはバックル及び挿嵌方式でフロントバッフルが装設される。
前記天板の少なくとも一側辺の下縁には押し引きタイプのフックが設置され、天板の前縁は弧形を呈すると共に、前下方に向けて丸角部が湾曲されてフロントバッフルの上縁に嵌装され、フロントバッフルはバックル及び挿嵌方式でテーブルフレームの両側の前脚の間に装設される。
フロントバッフルの下縁はテーブルフレームの両側の前脚の間の横支持板に嵌装される。
【０００７】
好ましくは、テーブルフレームの上方の両側のロッドの内側には、内に向けて天板の両側辺の嵌め込み溝に挿嵌される嵌め込み板がそれぞれ突設される。
前記テーブルフレームの上方の両側のロッドの前方は、丸角部が前下方に向け湾曲されると共に、特定の傾斜角度及び長さで斜めロッドが延伸された後、垂直に下に向けてテーブルフレームの両側の前脚が構成される。
両側の前脚の上方の斜めロッドの内側には、内に向けて突出されてフロントバッフルの両側の嵌め込み溝中に挿嵌される嵌め込み板がそれぞれ設置され、両側の前脚の上方の斜めロッドの間には、フロントバッフルの下縁の嵌め込み溝に挿嵌される横支持板が設置される。
【０００８】
好ましくは、テーブルフレームの両側の前脚の間隔は、テーブルフレームの両側の後脚の間隔より小さい。
【０００９】
好ましくは、天板の両側には開口部が外に向くバックル及びバックル内の嵌め込み溝がそれぞれ設置され、バックル及び挿嵌方式により天板がテーブルフレームに固設される。
天板の前方は丸角部が前下方に向けて湾曲され、且つ天板の前下縁にはフロントバッフルを嵌装させるための内に凹む嵌め込み溝が設置される。
【００１０】
好ましくは、フロントバッフルの両側には開口部が外に向くバックル及びバックル内の嵌め込み溝がそれぞれ設置され、バックル及び挿嵌方式によりフロントバッフルがテーブルフレームの前方の両側の前脚の上方の斜めロッドに固設される。
フロントバッフルの上縁には、天板の前下縁の内の嵌め込み溝に嵌め込み板が挿嵌されるように上向きに突起され、フロントバッフルの下縁には両側の前脚の間の横支持板に嵌装されるように嵌め込み溝が設けられる。
【考案の効果】
【００１１】
テーブルフレーム、天板、及びフロントバッフルの間がバックル及び挿嵌方式で装設されることにより、人間工学に適合する設計となり、構造が簡易になり、手早く装設可能になる。また、天板及びフロントバッフルの間の色彩の組み合わせも選択可能となる等の効果が得られ、テーブルが好ましい産業上の利用性及び経済的価値を兼ね備える。
【図面の簡単な説明】
【００１２】
【図１】本考案のテーブルの実施形態を例示する斜視図である。
【図２】本考案のテーブルの組立を例示する分解斜視図である。
【図３】本考案のテーブルの実施形態を例示する正面図である。
【図４】図３の左側面図である。
【図５】図３の右側面図である。
【図６】図１のＡ−Ａ線に沿う断面図である。
【図７】図１のＢ−Ｂ線に沿う断面図である。
【図８】図１のＣ−Ｃ線に沿う断面図である。
【図９】本考案のテーブルの実施形態を例示する上面図である。
【図１０】図９の右側面図である。
【図１１】図１０の左側面図である。
【図１２】図１０の右側面図である。
【図１３】本考案のフロントバッフルの実施形態を例示する側面図である。
【図１４】図１３の上面図である。
【図１５】図１３の左側面図である。
【図１６】図１３の右側面図である。
【図１７】本考案のフック座及びフックの組立を示す分解斜視図である。
【考案を実施するための形態】
【００１３】
以下、図面を参照して本考案に係るテーブルの実施形態について説明する。
尚、以下に説明する実施の形態は、実用新案登録請求の範囲に記載された本考案の内容を限定するものではない。また、以下に説明される構成の全てが、本考案の必須要件であるとは限らない。
【実施例】
【００１４】
本考案のテーブルはテーブルフレーム１と、天板２と、フロントバッフル３とを備える。
図１乃至図８を参照すると、金属棒が湾曲されることによりフレームとして製造されるテーブルフレーム１の上方にはバックル及び挿嵌方式で天板２が装設され、テーブルフレーム１の前上段にはバックル及び挿嵌方式でフロントバッフル３が装設される。
【００１５】
テーブルフレーム１の上方の両側のロッドの内側には、内に向けて天板２の両側辺の嵌め込み溝２１に挿嵌される嵌め込み板１１がそれぞれ突設される。
前記テーブルフレーム１の上方の両側のロッドの前方は、丸角部１０が前下方に向け湾曲されると共に、特定の傾斜角度及び長さで斜めロッド１２が延伸された後、垂直に下に向けてテーブルフレーム１の両側の前脚１３が構成される。
両側の前脚１３の上方の斜めロッド１２の内側には、内に向けて突出されてフロントバッフル３の両側の嵌め込み溝３１中に挿嵌される嵌め込み板１４がそれぞれ設置される。
両側の前脚１３の上方の斜めロッド１２の間には、フロントバッフル３の下縁の嵌め込み溝３２に挿嵌される横支持板１５が設置される。
前記テーブルフレーム１の両側の前脚１３の間隔はテーブルフレーム１の両側の後脚１６の間隔より小さい。
【００１６】
次に、図９乃至図１２に示されるように、天板２の両側には開口部が外に向くバックル２０及びバックル内の嵌め込み溝２１がそれぞれ設置され、バックル及び挿嵌方式により天板２がテーブルフレーム１に固設される。
天板２の前縁は弧形を呈すると共に丸角部２２が前下方に向けて湾曲され、且つ天板２の前下縁にはフロントバッフル３の嵌め込み板３３を嵌装させるための内に凹む嵌め込み溝２３が設置される。
天板２の両側辺の下方には、下に向けて突出される重合に用いられるバランスブロック２４がそれぞれ設置され、テーブルを上に向けて重合する際にバランスをとるために用いられる。また、天板の少なくとも一側の下縁には、開口部が下に向けられる組立スロット２５が設置され、組立スロット２５にはフック座２６が装設される。
図１７を参照すると、前記フック座２６は両側の爪部２６１が組立スロット２５中に係合されることで固定され、引き出されて使用され、押し入れられることにより隠されるフック４が装設される。
【００１７】
さらに、図１３乃至図１６に示されるように、フロントバッフル３の両側には開口部が外に向くバックル３０及びバックル内の嵌め込み溝３１がそれぞれ設置され、バックル及び挿嵌方式によりフロントバッフル３がテーブルフレーム１の前方の両側の前脚の上方の斜めロッド１２に固設される。
フロントバッフル３の上縁には、天板２の前下縁の内の凹む嵌め込み溝２３に嵌め込み板３３が挿嵌されるように上向きに突起される。フロントバッフル３の下縁には、両側の前脚の間の横支持板１５に嵌装されるように嵌め込み溝３２が設けられる。
【００１８】
図１及び図６乃至図８を参照する。テーブルフレーム、天板、及びフロントバッフルの間がバックル及び挿嵌方式で装設されることにより、人間工学に適合する設計となり、構造が簡易になり、手早く装設可能になり、天板及びフロントバッフルの間の色彩の組み合わせも選択可能となる等の効果が得られ、その結果テーブルが好ましい産業上の利用性及び経済的価値を兼ね備える。
【００１９】
以上、本考案の実施形態について図面を参照して詳述したが、本考案の具体的な構成はこの実施形態に限られるものではなく、本考案の要旨を逸脱しない範囲の設計変更等も実用新案登録請求の範囲に含まれる。
【符号の説明】
【００２０】
１      テーブルフレーム
１０    丸角部
１１    嵌め込み板
１２    斜めロッド
１３    前脚
１４    嵌め込み板
１５    横支持板
１６    後脚
２      天板
２０    バックル
２１    嵌め込み溝
２２    丸角部
２３    嵌め込み溝
２４    バランスブロック
２５    組立スロット
２６    フック座
２６１  爪部
３      フロントバッフル
３０    バックル
３１    嵌め込み溝
３２    嵌め込み溝
３３    嵌め込み板
４      フック
【図１】
0003218412.tif 000003
【図２】
0003218412.tif 000004
【図３】
0003218412.tif 000005
【図４】
0003218412.tif 000006
【図５】
0003218412.tif 000007
【図６】
0003218412.tif 000008
【図７】
0003218412.tif 000009
【図８】
0003218412.tif 000010
【図９】
0003218412.tif 000011
【図１０】
0003218412.tif 000012
【図１１】
0003218412.tif 000013
【図１２】
0003218412.tif 000014
【図１３】
0003218412.tif 000015
【図１４】
0003218412.tif 000016
【図１５】
0003218412.tif 000017
【図１６】
0003218412.tif 000018
【図１７】
0003218412.tif 000019